【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
通信ネットワークを介してフレームにより通信する管理装置と複数のコンピュータを備え、
前記管理装置は、
前記通信ネットワークを介して前記フレームを送受する通信部と、
一つの前記フレームに格納可能なデータ長の上限を超える所定データ長である第１のデータを記憶する第１データ記憶部と、
一つの前記フレームに格納可能なデータ長である第２のデータを生成する第２データ生成部と、
前記第１のデータと前記第２のデータを使用して、複数の前記コンピュータで共有される前記所定データ長の第３のデータを生成する第３データ生成部と、を備え、
前記通信部は、前記第２のデータを格納した前記フレームである第２データ格納フレームを、前記通信ネットワークを介して前記コンピュータへ送信し、
前記コンピュータは、
前記通信ネットワークを介して前記フレームを送受する通信部と、
前記第１のデータを記憶する第１データ記憶部と、
自コンピュータの前記第１データ記憶部に記憶されている前記第１のデータと自コンピュータの前記通信部が前記管理装置から前記通信ネットワークを介して受信した前記第２データ格納フレームに格納されている前記第２のデータとを使用して、前記第３のデータを生成する第３データ生成部と、を備える、
通信システム。
【請求項２】
前記コンピュータは、前記第３のデータを、前記通信ネットワークを介して行われる通信に関する情報の初期値に使用する、
請求項１に記載の通信システム。
【請求項３】
前記通信に関する情報は、前記フレームについてのカウンタ値である、
請求項２に記載の通信システム。
【請求項４】
前記カウンタ値は、前記通信ネットワークを介して交換されるメッセージについてのメッセージ認証コードの生成に使用される、
請求項３に記載の通信システム。
【請求項５】
前記コンピュータは、前記第３のデータを、前記通信ネットワークを介して行われる通信に使用される鍵に使用する、
請求項１に記載の通信システム。
【請求項６】
通信ネットワークを介してフレームにより通信する管理装置と複数のコンピュータを備える通信システムの前記管理装置において、
前記通信ネットワークを介して前記フレームを送受する通信部と、
一つの前記フレームに格納可能なデータ長の上限を超える所定データ長のデータであって前記管理装置と前記コンピュータで共有される第１のデータを記憶する第１データ記憶部と、
一つの前記フレームに格納可能なデータ長である第２のデータを生成する第２データ生成部と、
前記第１のデータと前記第２のデータを使用して、複数の前記コンピュータで共有される前記所定データ長の第３のデータを生成する第３データ生成部と、を備え、
前記通信部は、前記第２のデータを格納した前記フレームである第２データ格納フレームを、前記通信ネットワークを介して前記コンピュータへ送信する、
管理装置。
【請求項７】
通信ネットワークを介してフレームにより通信する管理装置と複数のコンピュータを備える通信システムの前記コンピュータにおいて、
前記通信ネットワークを介して前記フレームを送受する通信部と、
一つの前記フレームに格納可能なデータ長の上限を超える所定データ長のデータであって前記管理装置と前記コンピュータで共有される第１のデータを記憶する第１データ記憶部と、
前記第１データ記憶部に記憶されている前記第１のデータと前記通信部が前記管理装置から前記通信ネットワークを介して受信した前記フレームであって一つの前記フレームに格納可能なデータ長である第２のデータを格納した第２データ格納フレームに格納されている前記第２のデータとを使用して、複数の前記コンピュータで共有される前記所定データ長の第３のデータを生成する第３データ生成部と、
を備えるコンピュータ。
【請求項８】
通信ネットワークを介してフレームにより通信する管理装置と複数のコンピュータを備える通信システムのデータ共有方法において、
前記管理装置が、一つの前記フレームに格納可能なデータ長の上限を超える所定データ長である第１のデータを記憶する第１データ記憶ステップと、
前記管理装置が、一つの前記フレームに格納可能なデータ長である第２のデータを生成する第２データ生成ステップと、
前記管理装置が、前記第２のデータを格納した前記フレームである第２データ格納フレームを、前記通信ネットワークを介して前記コンピュータへ送信する送信ステップと、
前記管理装置が、前記第１のデータと前記第２のデータを使用して、複数の前記コンピュータで共有される前記所定データ長の第３のデータを生成する第３データ生成ステップと、
前記コンピュータが、前記第１のデータを記憶する第２の第１データ記憶ステップと、
前記コンピュータが、前記管理装置から前記通信ネットワークを介して前記第２データ格納フレームを受信する受信ステップと、
前記コンピュータが、前記第２の第１データ記憶ステップで記憶した前記第１のデータと前記受信ステップで受信した前記第２データ格納フレームに格納されている前記第２のデータとを使用して、前記第３のデータを生成する第２の第３データ生成ステップと、
を含むデータ共有方法。
【請求項９】
通信ネットワークを介してフレームにより通信する管理装置と複数の第１コンピュータを備える通信システムの前記管理装置の第２コンピュータに、
一つの前記フレームに格納可能なデータ長の上限を超える所定データ長のデータであって前記管理装置と前記第１コンピュータで共有される第１のデータを記憶する第１データ記憶機能と、
一つの前記フレームに格納可能なデータ長である第２のデータを生成する第２データ生成機能と、
前記第２のデータを格納した前記フレームである第２データ格納フレームを、前記通信ネットワークを介して前記第１コンピュータへ送信する通信機能と、
前記第１のデータと前記第２のデータを使用して、複数の前記第１コンピュータで共有される前記所定データ長の第３のデータを生成する第３データ生成機能と、
を実現させるためのコンピュータプログラム。
【請求項１０】
通信ネットワークを介してフレームにより通信する管理装置と複数のコンピュータを備える通信システムの前記コンピュータに、
一つの前記フレームに格納可能なデータ長の上限を超える所定データ長のデータであって前記管理装置と前記コンピュータで共有される第１のデータを記憶する第１データ記憶機能と、
一つの前記フレームに格納可能なデータ長である第２のデータを格納した前記フレームである第２データ格納フレームを前記管理装置から前記通信ネットワークを介して受信する通信機能と、
前記第１データ記憶機能により記憶されている前記第１のデータと前記通信機能により受信した前記第２データ格納フレームに格納されている前記第２のデータとを使用して、複数の前記コンピュータで共有される前記所定データ長の第３のデータを生成する第３データ生成機能と、
を実現させるためのコンピュータプログラム。
【手続補正２】
【補正対象書類名】明細書
【補正対象項目名】発明の名称
【補正方法】変更
【補正の内容】
【発明の名称】通信システム、管理装置、コンピュータ、データ共有方法、及びコンピュータプログラム
【手続補正３】
【補正対象書類名】明細書
【補正対象項目名】０００１
【補正方法】変更
【補正の内容】
【０００１】
本発明は、通信システム、管理装置、コンピュータ、データ共有方法、及びコンピュータプログラムに関する。
【手続補正４】
【補正対象書類名】明細書
【補正対象項目名】０００５
【補正方法】変更
【補正の内容】
【０００５】
本発明は、このような事情を考慮してなされたものであり、セキュリティ性能の向上を図ることができる通信システム、管理装置、コンピュータ、データ共有方法、及びコンピュータプログラムを提供することを課題とする。
【手続補正５】
【補正対象書類名】明細書
【補正対象項目名】０００６
【補正方法】変更
【補正の内容】
【０００６】
（１）本発明の一態様は、通信ネットワークを介してフレームにより通信する管理装置と複数のコンピュータを備え、前記管理装置は、前記通信ネットワークを介して前記フレームを送受する通信部と、一つの前記フレームに格納可能なデータ長の上限を超える所定データ長である第１のデータを記憶する第１データ記憶部と、一つの前記フレームに格納可能なデータ長である第２のデータを生成する第２データ生成部と、前記第１のデータと前記第２のデータを使用して、複数の前記コンピュータで共有される前記所定データ長の第３のデータを生成する第３データ生成部と、を備え、前記通信部は、前記第２のデータを格納した前記フレームである第２データ格納フレームを、前記通信ネットワークを介して前記コンピュータへ送信し、前記コンピュータは、前記通信ネットワークを介して前記フレームを送受する通信部と、前記第１のデータを記憶する第１データ記憶部と、自コンピュータの前記第１データ記憶部に記憶されている前記第１のデータと自コンピュータの前記通信部が前記管理装置から前記通信ネットワークを介して受信した前記第２データ格納フレームに格納されている前記第２のデータとを使用して、前記第３のデータを生成する第３データ生成部と、を備える、通信システムである。
（２）本発明の一態様は、上記（１）の通信システムにおいて、前記コンピュータは、前記第３のデータを、前記通信ネットワークを介して行われる通信に関する情報の初期値に使用する、通信システムである。
（３）本発明の一態様は、上記（２）の通信システムにおいて、前記通信に関する情報は、前記フレームについてのカウンタ値である、通信システムである。
（４）本発明の一態様は、上記（３）の通信システムにおいて、前記カウンタ値は、前記通信ネットワークを介して交換されるメッセージについてのメッセージ認証コードの生成に使用される、通信システムである。
（５）本発明の一態様は、上記（１）の通信システムにおいて、前記コンピュータは、前記第３のデータを、前記通信ネットワークを介して行われる通信に使用される鍵に使用する、通信システムである。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
（６）本発明の一態様は、通信ネットワークを介してフレームにより通信する管理装置と複数のコンピュータを備える通信システムの前記管理装置において、前記通信ネットワークを介して前記フレームを送受する通信部と、一つの前記フレームに格納可能なデータ長の上限を超える所定データ長のデータであって前記管理装置と前記コンピュータで共有される第１のデータを記憶する第１データ記憶部と、一つの前記フレームに格納可能なデータ長である第２のデータを生成する第２データ生成部と、前記第１のデータと前記第２のデータを使用して、複数の前記コンピュータで共有される前記所定データ長の第３のデータを生成する第３データ生成部と、を備え、前記通信部は、前記第２のデータを格納した前記フレームである第２データ格納フレームを、前記通信ネットワークを介して前記コンピュータへ送信する、管理装置である。
【手続補正８】
【補正対象書類名】明細書
【補正対象項目名】０００９
【補正方法】変更
【補正の内容】
【０００９】
（７）本発明の一態様は、通信ネットワークを介してフレームにより通信する管理装置と複数のコンピュータを備える通信システムの前記コンピュータにおいて、前記通信ネットワークを介して前記フレームを送受する通信部と、一つの前記フレームに格納可能なデータ長の上限を超える所定データ長のデータであって前記管理装置と前記コンピュータで共有される第１のデータを記憶する第１データ記憶部と、前記第１データ記憶部に記憶されている前記第１のデータと前記通信部が前記管理装置から前記通信ネットワークを介して受信した前記フレームであって一つの前記フレームに格納可能なデータ長である第２のデータを格納した第２データ格納フレームに格納されている前記第２のデータとを使用して、複数の前記コンピュータで共有される前記所定データ長の第３のデータを生成する第３データ生成部と、を備えるコンピュータである。
【手続補正９】
【補正対象書類名】明細書
【補正対象項目名】００１０
【補正方法】変更
【補正の内容】
【００１０】
（８）本発明の一態様は、通信ネットワークを介してフレームにより通信する管理装置と複数のコンピュータを備える通信システムのデータ共有方法において、前記管理装置が、一つの前記フレームに格納可能なデータ長の上限を超える所定データ長である第１のデータを記憶する第１データ記憶ステップと、前記管理装置が、一つの前記フレームに格納可能なデータ長である第２のデータを生成する第２データ生成ステップと、前記管理装置が、前記第２のデータを格納した前記フレームである第２データ格納フレームを、前記通信ネットワークを介して前記コンピュータへ送信する送信ステップと、前記管理装置が、前記第１のデータと前記第２のデータを使用して、複数の前記コンピュータで共有される前記所定データ長の第３のデータを生成する第３データ生成ステップと、前記コンピュータが、前記第１のデータを記憶する第２の第１データ記憶ステップと、前記コンピュータが、前記管理装置から前記通信ネットワークを介して前記第２データ格納フレームを受信する受信ステップと、前記コンピュータが、前記第２の第１データ記憶ステップで記憶した前記第１のデータと前記受信ステップで受信した前記第２データ格納フレームに格納されている前記第２のデータとを使用して、前記第３のデータを生成する第２の第３データ生成ステップと、を含むデータ共有方法である。
【手続補正１０】
【補正対象書類名】明細書
【補正対象項目名】００１１
【補正方法】変更
【補正の内容】
【００１１】
（９）本発明の一態様は、通信ネットワークを介してフレームにより通信する管理装置と複数の第１コンピュータを備える通信システムの前記管理装置の第２コンピュータに、一つの前記フレームに格納可能なデータ長の上限を超える所定データ長のデータであって前記管理装置と前記第１コンピュータで共有される第１のデータを記憶する第１データ記憶機能と、一つの前記フレームに格納可能なデータ長である第２のデータを生成する第２データ生成機能と、前記第２のデータを格納した前記フレームである第２データ格納フレームを、前記通信ネットワークを介して前記第１コンピュータへ送信する通信機能と、前記第１のデータと前記第２のデータを使用して、複数の前記第１コンピュータで共有される前記所定データ長の第３のデータを生成する第３データ生成機能と、を実現させるためのコンピュータプログラムである。
【手続補正１１】
【補正対象書類名】明細書
【補正対象項目名】００１２
【補正方法】変更
【補正の内容】
【００１２】
（１０）本発明の一態様は、通信ネットワークを介してフレームにより通信する管理装置と複数のコンピュータを備える通信システムの前記コンピュータに、一つの前記フレームに格納可能なデータ長の上限を超える所定データ長のデータであって前記管理装置と前記コンピュータで共有される第１のデータを記憶する第１データ記憶機能と、一つの前記フレームに格納可能なデータ長である第２のデータを格納した前記フレームである第２データ格納フレームを前記管理装置から前記通信ネットワークを介して受信する通信機能と、前記第１データ記憶機能により記憶されている前記第１のデータと前記通信機能により受信した前記第２データ格納フレームに格納されている前記第２のデータとを使用して、複数の前記コンピュータで共有される前記所定データ長の第３のデータを生成する第３データ生成機能と、を実現させるためのコンピュータプログラムである。